(57)【特許請求の範囲】
【請求項１】
天井梁材と床梁材と柱材とによって骨組みが形成される建物の制振装置であって、
上端が前記天井梁材に連結され下端が前記柱材に連結される第１斜材と、その第１斜材の下端の下方で上端が前記柱材に連結され下端が前記床梁材に連結される第２斜材とを備え、
前記第１斜材及び前記第２斜材の少なくとも一方の一端は、前記柱材に固定された取付片を挟み付けるとともに、その取付片の両面にそれぞれ取り付けられる制振部材を介して連結されることを特徴とする建物の制振装置。
【請求項２】
天井梁材と床梁材と柱材とによって骨組みが形成される建物の制振装置であって、
上端が前記天井梁材に連結され下端が前記柱材に連結される第１斜材と、その第１斜材の下端の下方で上端が前記柱材に連結され下端が前記床梁材に連結される第２斜材とを備え、
前記第１斜材及び前記第２斜材の少なくとも一方の一端は、前記天井梁材又は前記床梁材に固定された取付片を挟み付けるとともに、その取付片の両面にそれぞれ取り付けられる制振部材を介して連結されることを特徴とする建物の制振装置。
【請求項３】
前記第１斜材及び前記第２斜材は、２つの軸力材を重ね合わせることによってそれぞれ形成され、前記取付片はその２つの軸力材によって挟み付けられることを特徴とする請求項１又は２に記載の建物の制振装置。
【請求項４】
前記制振部材は、前記取付片の両側にそれぞれ複数配置されるとともに、前記第１斜材及び前記第２斜材の両側縁がそれぞれ前記制振部材を介して前記取付片に連結されることを特徴とする請求項１乃至３のいずれか一項に記載の建物の制振装置。
【請求項５】
前記制振部材は、アーチ状に形成され、一方の脚部が前記取付片に固定されるとともに他方の脚部が前記第１斜材又は前記第２斜材に固定されることを特徴とする請求項１乃至４のいずれか一項に記載の建物の制振装置。
【請求項６】
前記第１斜材の上端と前記第２斜材の下端に隣接して配置される縦材によって前記天井梁材と前記床梁材とが連結されることを特徴とする請求項１乃至５のいずれか一項に記載の建物の制振装置。
【請求項７】
前記取付片には、面外方向に突出される突起部が設けられ、前記第１斜材及び前記第２斜材の一端には、前記突起部が挿通されるとともに軸方向に延設される長穴が形成されることを特徴とする請求項１乃至６のいずれか一項に記載の建物の制振装置。
【発明の詳細な説明】
【技術分野】
【０００１】
本発明は、地震や風や交通振動などによって生じる建物の揺れを抑えるための制振装置に関するものである。
【背景技術】
【０００２】
従来、地震などによって発生する建物の揺れを低減する制振装置が知られている（特許文献１−３参照）。
【０００３】
特許文献１，２には、天井梁材と床梁材と柱材とによって骨組みが形成される建物において、天井梁材と床梁材とに斜めに差し渡されるブレースに制振部材を配置した建物の制振装置が開示されている。
【０００４】
また、特許文献３には、断面視略Ｕ字形の屈曲部とその両側縁に平板状の取付部を備えた振動エネルギー吸収用ダンパが開示されている。
【特許文献１】特開２００５−３１５０１９号公報
【特許文献２】特開２００１−３３６３０３号公報
【特許文献３】特開２００７−１００７６号公報
【発明の開示】
【発明が解決しようとする課題】
【０００５】
しかしながら特許文献１，２の制振装置では、天井梁材と床梁材との間に差し渡される長い軸力材をブレースとして使用しなければならず、このような軸力材は座屈を防止するために必要な断面積が大きくなっている。
【０００６】
また、制振部材を機能させるためには、ブレースにねじれが発生しないようにその周囲を囲むフレームの剛性を高める必要があり、制振装置が大型化して高価になる傾向にある。
【０００７】
そこで、本発明は、断面性能が比較的小さな部材の組み合わせであっても制振性能を充分に発揮させることが可能な建物の制振装置を提供することを目的としている。
【課題を解決するための手段】
【０００８】
前記目的を達成するために、本発明の建物の制振装置は、天井梁材と床梁材と柱材とによって骨組みが形成される建物の制振装置であって、上端が前記天井梁材に連結され下端が前記柱材に連結される第１斜材と、その第１斜材の下端の下方で上端が前記柱材に連結され下端が前記床梁材に連結される第２斜材とを備え、前記第１斜材及び前記第２斜材の少なくとも一方の一端は、前記柱材に固定された取付片を挟み付けるとともに、その取付片の両面にそれぞれ取り付けられる制振部材を介して連結されることを特徴とする。
【０００９】
また、本発明の建物の制振装置は、天井梁材と床梁材と柱材とによって骨組みが形成される建物の制振装置であって、上端が前記天井梁材に連結され下端が前記柱材に連結される第１斜材と、その第１斜材の下端の下方で上端が前記柱材に連結され下端が前記床梁材に連結される第２斜材とを備え、前記第１斜材及び前記第２斜材の少なくとも一方の一端は、前記天井梁材又は前記床梁材に固定された取付片を挟み付けるとともに、その取付片の両面にそれぞれ取り付けられる制振部材を介して連結されることを特徴とする。
【００１０】
ここで、前記第１斜材及び前記第２斜材は、２つの軸力材を重ね合わせることによってそれぞれ形成され、前記取付片はその２つの軸力材によって挟み付けられるように構成することができる。
【００１１】
また、前記制振部材は、前記取付片の両側にそれぞれ複数配置されるとともに、前記第１斜材及び前記第２斜材の両側縁がそれぞれ前記制振部材を介して前記取付片に連結される構成であってもよい。
【００１２】
さらに、前記制振部材は、アーチ状に形成され、一方の脚部が前記取付片に固定されるとともに他方の脚部が前記第１斜材又は前記第２斜材に固定される構成とすることもできる。
【００１３】
また、前記第１斜材の上端と前記第２斜材の下端に隣接して配置される縦材によって前記天井梁材と前記床梁材とが連結されていることが好ましい。
【００１４】
さらに、前記取付片には、面外方向に突出される突起部が設けられ、前記第１斜材及び前記第２斜材の一端には、前記突起部が挿通されるとともに軸方向に延設される長穴が形成された構成とすることができる。
【発明の効果】
【００１５】
このように構成された本発明の建物の制振装置は、第１斜材と第２斜材とを備え、それらの一端は、柱材又は梁材に固定された取付片を挟み付けるとともに、その両面にそれぞれ取り付けられた制振部材を介して連結される。
【００１６】
このため、斜材の長さが短くて済み、断面性能の比較的、小さな斜材を使用しても、座屈を起こすことがない。
【００１７】
また、斜材の一端は取付片を挟み付け、その両面が制振部材を介して連結されているので、ねじれが両側の制振部材で吸収されて、斜材にねじれが発生し難い。
【００１８】
さらに、２つの軸力材を重ね合わせることで形成される斜材は、取付片の厚み分の間隔を置いて配置される。このため、軸力材の断面性能が比較的小さくても、離し置きされた軸力材を合算させた斜材の断面性能は高くなるので、斜材が座屈を起こしたり、ねじれたりすることを防ぐことができる。
【００１９】
また、斜材の両側縁がそれぞれ制振部材を介して取付片に連結されることで、取付片の両面及び斜材の両側縁の少なくとも４箇所の制振部材で斜材の端部が連結されることになる。
【００２０】
このため、様々な方向から斜材がねじれる力が作用しても、制振部材同士で相殺させることができるので、過大な応力が斜材、取付片及び制振部材に発生することを防ぐことができる。
【００２１】
さらに、制振部材をアーチ状に形成すれば、変形に追従させ易く取り付けが容易であるうえに、繰り返しの変形に対しても耐久性の高い制振装置とすることができる。
【００２２】
また、アーチの曲率、材料の厚さ又は幅などを変えることで、任意に耐荷性、剛性、繰り返しの変形に対する耐久性を調整できる。
【００２３】
さらに、天井梁材と床梁材と柱材と縦材とに囲まれた領域に、制振部材を介して端部が連結される斜材を配置することで、ねじれにくい面内で斜材を振幅させることができ、地震などによって発生したエネルギーを効果的に吸収させることができる。
【００２４】
また、取付片に突起部を設け、斜材の端部に形成された長穴に突起部を挿通させることで、突起部と長穴のガイドに沿った軸方向の振幅を斜材に起こすことができる。さらに、制振部材を作動させる範囲を、長穴の大きさによって制限することができる。
【発明を実施するための最良の形態】
【００２５】
以下、本発明の最良の実施の形態について図面を参照して説明する。
【００２６】
図１は、本実施の形態の建物の制振装置の構成を説明する正面図であり、図２はこの制振装置２０を配置した建物としてのユニット建物（図示省略）を構成する建物ユニット１の構成を説明する斜視図である。
【００２７】
まず、ユニット建物の構成から説明すると、ユニット建物は、図２に示すような矩形箱形の建物ユニット１を、上下左右に複数、隣接設置して構築される戸建て住宅などの建物である。
【００２８】
また、建物ユニット１は、図２に示すように、柱材としての４本の柱１１，・・・と、その柱１１，・・・の上端間に差し渡される天井梁材としての天井梁１２，１２及び妻側梁１２Ａ，１２Ａと、柱１１，・・・の下端間に差し渡される床梁材としての床梁１３，１３及び妻側梁１３Ａ，１３Ａとによって、構造部材となる骨組構造体１０が構成される。この骨組構造体１０は、柱１１と天井梁１２及び妻側梁１２Ａとが溶接などによって剛接合されるとともに、柱１１と床梁１３及び妻側梁１３Ａとが剛接合されたラーメン構造体となっている。
【００２９】
また、この天井梁１２，１２間には、複数の天井小梁１２１，・・・が差し渡されるとともに、ブレース１２２，１２２が平面視Ｘ字状に差し渡されている。さらに、床梁１３，１３間には、複数の床小梁１３１，・・・が差し渡されるとともに、その床小梁１３１に略直交するように複数の根太１３２，・・・が配置される。
【００３０】
そして、この建物ユニット１の外壁を取り付ける側面の一方の柱１１に近接して制振装置２０が配置される。
【００３１】
この制振装置２０は、図１に示すように、上端が天井梁１２に連結され下端が柱１１の中央付近に連結される第１斜材としてのブレース２Ａと、そのブレース２Ａの下端の下方で上端が柱１１に連結され下端が床梁１３に連結される第２斜材としてのブレース２Ｂと、ブレース２Ａの上端とブレース２Ｂの下端に隣接して配置されて天井梁１２と床梁１３とを連結する縦材としての縦フレーム５とによって主に構成されている。
【００３２】
このブレース２Ａは、図４（ｂ）に示すように、軸力材としてのＣ形鋼２１を２枚使用し、それぞれのウエッブの背面同士を対向させて重ね合わせることで主材が構成されている。また、このＣ形鋼２１，２１間は、取付片３の厚み分だけ離間して配置されることになる。
【００３３】
そして、このブレース２Ａの一端である下端は、図１，３に示すように、柱１１に溶接部３２によって固定された板状の取付片３を介して柱１１に連結される。このブレース２Ａの下端では、２枚のＣ形鋼２１，２１によってこの取付片３を挟み付けている。
【００３４】
また、この取付片３を挟み付けたＣ形鋼２１は、図３に示すように、その両側縁がそれぞれ制振部材としてのダンパ４，４を介して取付片３に連結されている。
【００３５】
このダンパ４は、繰り返しの変形に対する耐久性が高く、エネルギー吸収性能に優れた材料によって形成するのが好ましい。例えば、鉄、鉛、錫、銅若しくはアルミニウム、又はそれらの合金等の金属を主体とする材料を用いることができる。また、弾性性能に優れたプラスチックなどの樹脂材料を使用することもできる。
【００３６】
本実施の形態のダンパ４は、図４（ａ）に示すように、炭素鋼やステンレス鋼等の軟鋼板をアーチ状に成形した部材で、両側縁となる脚部４ａ，４ａが取付片３とＣ形鋼２１の表面にそれぞれ溶接部４１，４１によって接合される。
【００３７】
また、ダンパ４は、図４（ｂ）に示すように、取付片３の両側、及びそれぞれの面に当接されるＣ形鋼２１，２１の両側縁の４箇所に、それぞれ取り付けられる。この４箇所のダンパ４，・・・の位置関係は、取付片３の同一面ではＣ形鋼２１に対して対称に、取付片３を挟んでは取付片３に対して対称に配置するのが好ましい。なお、本実施の形態では、Ｃ形鋼２１の一側縁に対して１個のダンパ４を取り付けたが、これに限定されるものではなく、一側縁に対して複数のダンパ４を取り付けることもできる。
【００３８】
さらに、このダンパ４よりも柱１１側のブレース２Ａの端部には、図３に示すように軸方向に延設される長穴２２が形成される。そして、この長穴２２には、取付片３の面外方向に突出される突起部としてのボルト３１が挿通される。すなわち、このブレース２Ａの一端は、この長穴２２の範囲内で軸方向に摺動することができる。
【００３９】
一方、このブレース２Ａの他端となる上端は、図１に示すように、天井梁１２に溶接部６１を介して固定された連結プレート６に、ピン接合２３によって連結されている。
【００４０】
なお、ブレース２Ｂについては、ブレース２Ａの下端がブレース２Ｂの上端となり、ブレース２Ａの上端がブレース２Ｂの下端となり、天井梁１２が床梁１３となるだけで、その他の構成は同じであるので説明を省略する。
【００４１】
そして、縦フレーム５は、この正面視く字形となるブレース２Ａ，２Ｂを収容できる位置、言い換えるとブレース２Ａ，２Ｂを挟んで柱１１の反対側の位置に、柱１１に略平行に立設される。この縦フレーム５は、上端が溶接部５１を介して天井梁１２に連結され、下端が溶接部５１を介して床梁１３に連結される。
【００４２】
次に、本実施の形態の建物の制振装置２０の作用について説明する。
【００４３】
このように構成された本実施の形態の建物の制振装置２０は、第１のブレース２Ａと第２のブレース２Ｂとを備え、それらの一端は、柱１１に固定された取付片３，３を挟み付けるとともに、その取付片３，３の両面にそれぞれ取り付けられたダンパ４，・・・を介して連結される。
【００４４】
これらのブレース２Ａ，２Ｂは、天井梁１２又は床梁１３と柱１１の略中央との間で斜めに差し渡される部材であるため、天井梁１２と床梁１３との間に差し渡される通常のブレース材に比べて長さが短くて済む。
【００４５】
そして、ブレース２Ａ，２Ｂは、主として軸方向の荷重に抵抗させる軸力材であるため、長さが短くなれば断面積を小さくしても座屈が起きにくくなる。
【００４６】
さらに、これらのブレース２Ａ，２Ｂは、２つのＣ形鋼２１，２１を取付片３の厚み分だけ離間させて重ね合わせることで形成されている。このため、断面二次モーメントが大きくなって剛性が増加するので、比較的断面性能の低い部材によって、安価にブレース２Ａ，２Ｂを製作することができる。また、ブレース２Ａ，２Ｂの剛性が増加すればねじれにくくなるので、地震などによって発生する振動を効率的にダンパ４，・・・に入力させることができる。
【００４７】
さらに、ブレース２Ａ，２Ｂの端部は、取付片３を挟み付けるとともにその両面がダンパ４，・・・を介して連結されているので、ブレース２Ａ，２Ｂがねじれる方向の力が作用すると、取付片３の両側のダンパ４，・・・がそれぞれ変形することになる。
【００４８】
このため、地震などによって発生した振動によるエネルギーを、複数のダンパ４，・・・に吸収させることができ、ブレース２Ａ，２Ｂにはねじれに伴う負荷が作用し難い。
【００４９】
特に、ブレース２Ａ，２Ｂの両側縁がそれぞれダンパ４，・・・を介して取付片３に連結されることで、取付片３の両面及びＣ形鋼２１の両側縁の４箇所のダンパ４，・・・でブレース２Ａ，２Ｂの端部が連結されることになる。
【００５０】
このため、ブレース２Ａ，２Ｂがいずれの方向にねじれようとしても、４箇所に配置されたダンパ４，・・・同士で変形を相殺させることができるので、過大な応力がブレース２Ａ，２Ｂ、取付片３及びダンパ４に発生することを防ぐことができる。
【００５１】
また、ブレース２Ａ，２Ｂがねじれの発生しにくい構造であれば、それを収容する領域の構造部材となる縦フレーム５などの断面性能を低減して、安価な制振装置２０を製作することができる。
【００５２】
さらに、ダンパ４をアーチ状に形成すれば、変形に追従させ易く、取付片３とＣ形鋼２１の取り付け位置に多少の誤差があったとしても、その誤差を吸収させて容易に取り付けることができる。
【００５３】
また、アーチ形状は変形に対する拘束が小さい形状であるため、繰り返しの変形に対しても耐久性の高いダンパ４とすることができる。さらに、このようなダンパ４は、アーチの曲率、材料の厚さ又は幅などを変えることで、任意に耐荷性、剛性、繰り返しの変形に対する耐久性などを調整することができる。
【００５４】
さらに、天井梁１２と床梁１３と柱１１と縦フレーム５とに囲まれた矩形領域であれば、同一面が保持されるねじれにくい面内領域を形成することができる。そして、その内部にダンパ４，・・・を介して端部が連結されるブレース２Ａ，２Ｂを配置することで、地震などによって建物ユニット１に発生した振動を効率的にブレース２Ａ，２Ｂに伝達させることができる。その結果、ブレース２Ａ，２Ｂが軸方向に振幅してダンパ４，・・・が変形することによって、地震によるエネルギーを効果的に吸収させることができる。
【００５５】
また、取付片３にボルト３１を取り付け、ブレース２Ａ，２Ｂの端部に形成された長穴２２にボルト３１を挿通させることで、長穴２２をガイドにしてブレース２Ａ，２Ｂに軸方向の振幅を起こして、ダンパ４，・・・を効果的に作用させることができる。
【００５６】
さらに、ボルト３１が長穴２２の端に当接すると、同一方向へのブレース２Ａ，２Ｂの摺動がそれ以上できなくなるので、ダンパ４，・・・の変形もそれ以上に大きくなることがない。すなわち、ダンパ４，・・・が一方向に連続して変形できる大きさを制限することにより、ダンパ４，・・・に過度の応力を発生させて損傷させることを防ぐことができる。また、一方向への移動量が制限されると、反対方向への移動に移り易くなるので、ダンパ４，・・・が振幅しやすくなって、効率的に地震のエネルギーを吸収させることができる。
【実施例】
【００５７】
以下、前記した実施の形態とは別の形態の実施例について説明する。なお、前記実施の形態で説明した内容と同一乃至均等な部分の説明については同一符号を付して説明する。
【００５８】
図５は、この実施例で説明する制振装置７０の構成を説明する斜視図である。
【００５９】
この制振装置７０は、上端が天井梁１２に連結され下端が柱１１の中央付近に連結される第１斜材としてのブレース７２Ａと、そのブレース７２Ａの下端の下方で上端が柱１１に連結され下端が床梁１３に連結される第２斜材としてのブレース７２Ｂとによって主に構成されている。ここで、ブレース７２Ａ，７２Ｂは、柱１１に固定される矩形板状の連結プレート７１の角部にピン接合７２３，７２３されることによって柱１１に連結される。
【００６０】
また、ブレース７２Ａは、図６に示すように、軸力材としてのＣ形鋼７２１を２枚使用し、それぞれのウエッブの背面同士を対向させて重ね合わせることで主材が構成されている。また、このＣ形鋼７２１，７２１間は、取付片７３の厚み分だけ離間して配置されることになる。
【００６１】
そして、このブレース７２Ａの一端である上端は、図６に示すように、天井梁１２に固定された取付片７３を介して天井梁１２に連結される。このブレース７２Ａの上端では、２枚のＣ形鋼７２１，７２１によってこの取付片７３を挟み付けている。
【００６２】
また、この取付片７３には、天井梁１２のフランジ１２ａと略同じ幅の固定プレート７３２が接合されており、取付片７３は、この固定プレート７３２を介して天井梁１２に取り付けられる。
【００６３】
また、この取付片７３を挟み付けたＣ形鋼７２１は、図６に示すように、その両側縁がそれぞれ制振部材としてのダンパ４，４を介して取付片７３に連結されている。このダンパ４は、前記実施の形態と同様に、取付片７３の両側、及びそれぞれの面に当接されるＣ形鋼７２１，７２１の両側縁の４箇所に、それぞれ取り付けられる。
【００６４】
さらに、このダンパ４よりも天井梁１２側のブレース７２Ａの端部には、図６に示すように軸方向に延設される長穴７２２が形成される。そして、この長穴７２２には、取付片７３の面外方向に突出される突起部としてのピン７３１が挿通される。すなわち、このブレース７２Ａの一端は、この長穴７２２の範囲内で軸方向に摺動することができる。
【００６５】
なお、ブレース７２Ｂについては、ブレース７２Ａの上端がブレース７２Ｂの下端となり、ブレース７２Ａの下端がブレース７２Ｂの上端となり、天井梁１２が床梁１３となるだけで、その他の構成は同じであるので説明を省略する。
【００６６】
次に、本実施例の建物の制振装置７０の作用について説明する。
【００６７】
このように構成された本実施例の建物の制振装置７０は、第１のブレース７２Ａと第２のブレース７２Ｂとを備え、それらの一端は、それぞれ天井梁１２と床梁１３に固定された取付片７３，７３を挟み付けるとともに、その取付片７３，７３の両面にそれぞれ取り付けられたダンパ４，・・・を介して連結される。
【００６８】
このため、ブレース７２Ａ，７２Ｂの長さが短くて済み、断面性能の比較的、小さなブレース７２Ａ，７２Ｂを使用しても、座屈を起こすことがない。特に、連結プレート７１の大きさによっては、さらにブレース７２Ａ，７２Ｂの長さを短くすることができる。
【００６９】
また、ブレース７２Ａ，７２Ｂの長さが短くなれば、ねじれなどの面外方向の変形による影響を少なくすることができる。
【００７０】
なお、他の構成及び作用効果については、前記実施の形態と略同様であるので説明を省略する。
【００７１】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００７２】
例えば、前記実施の形態では、ブレース２Ａ，２Ｂと柱１１との連結にダンパ４，・・・を介在させたが、これに限定されるものではなく、例えば一方のブレース２Ａ（２Ｂ）については、天井梁１２（床梁１３）との連結にダンパ４を介在させることもできる。一方、前記実施例では、ブレース７２Ａ，７２Ｂと天井梁１２又は床梁１３との連結にダンパ４，・・・を介在させたが、これに限定されるものではなく、例えば一方のブレース７２Ａ（７２Ｂ）については、柱１１との連結にダンパ４を介在させることもできる。
【００７３】
また、前記実施の形態では、取付片３，３は柱１１の略中央の２箇所に設けたが、これに限定されるものではなく、前記実施例の連結プレート７１と同様に一体化させてもよい。さらに、前記実施例では、連結プレート７１は柱１１の略中央の１箇所に設けたが、これに限定されるものではなく、前記実施の形態の取付片３，３と同様に２箇所にそれぞれ設けてもよい。
【００７４】
また、前記実施の形態及び前記実施例では、ブレース２Ａ，２Ｂ，７２Ａ，７２ＢはＣ形鋼２１，７２１を２枚重ねて構成したが、これに限定されるものではなく、例えば端部のみが２股に分かれて取付片３，７３を挟み付けることができるような構造となっているものであってもよい。
【図面の簡単な説明】
【００７５】
【図１】本発明の最良の実施の形態の建物の制振装置の構成を説明する正面図である。
【図２】制振装置が配置された建物ユニットの構成を説明する斜視図である。
【図３】ブレースと柱との連結部の構成の詳細を説明する部分拡大図である。
【図４】（ａ）はＣ形鋼と取付片とをダンパで連結する構成を説明する部分拡大斜視図であり、（ｂ）はブレースと取付片とをダンパで連結する構成を説明する断面図である。
【図５】実施例の制振装置の構成を説明する斜視図である。
【図６】実施例のブレースと天井梁との連結部の構成の詳細を説明する部分拡大図である。
【符号の説明】
【００７６】
１０            骨組構造体
１１            柱（柱材）
１２            天井梁（天井梁材）
１３            床梁（床梁材）
２０            制振装置
２Ａ            ブレース（第１斜材）
２Ｂ            ブレース（第２斜材）
２１            Ｃ形鋼（軸力材）
２２            長穴
３              取付片
３１            ボルト（突起部）
４              ダンパ（制振部材）
４ａ            脚部
５              縦フレーム（縦材）
７０            制振装置
７２Ａ          ブレース（第１斜材）
７２Ｂ          ブレース（第２斜材）
７２１          Ｃ形鋼（軸力材）
７２２          長穴
７３            取付片
７３１          ピン（突起部）
【図１】
0005086874.tif 000002
【図２】
0005086874.tif 000003
【図３】
0005086874.tif 000004
【図４】
0005086874.tif 000005
【図５】
0005086874.tif 000006
【図６】
0005086874.tif 000007